(57)【要約】【課題】簡単な構成で、ポインティングにおける操作性を高めることができるようにする。【解決手段】Ｘ軸タッチキー１２とＹ軸タッチキー１３とをＬ字型に配置し、Ｘ軸タッチキー１２によって表示部１１のＸ方向のポインティングのタッチ操作を検知し、Ｙ軸タッチキー１３によって表示部１１のＹ方向のポインティングのタッチ操作を検知し、ポインティング処理手段によりその検知されたタッチ操作に応じて表示部１１におけるポインティング処理が行われるようにした。【選択図】図１
2007140944.tif 000002
【特許請求の範囲】
【請求項１】
表示部におけるポインティングのタッチ入力を受け付けるタッチセンス装置であって、
前記表示部のＸ方向のポインティングのタッチ操作を検知するＸ軸タッチ手段と、
前記表示部のＹ方向のポインティングのタッチ操作を検知するＹ軸タッチ手段と、
前記Ｘ軸タッチ手段又は前記Ｙ軸タッチ手段によって検知されたタッチ操作に応じて前記表示部におけるポインティング処理を行うポインティング処理手段とを備え、
前記Ｘ軸タッチ手段とＹ軸タッチ手段とがＬ字型に配置されている
ことを特徴とするタッチセンス装置。
【請求項２】
前記Ｘ軸タッチ手段とＹ軸タッチ手段とは、前記表示部の周囲に配置されていることを特徴とする請求項１に記載のタッチセンス装置。
【請求項３】
前記Ｘ軸タッチ手段とＹ軸タッチ手段とは、前記表示部の周囲以外に配置されていることを特徴とする請求項１に記載のタッチセンス装置。
【請求項４】
前記ポインティング処理手段は、前記Ｘ軸タッチ手段又は前記Ｙ軸タッチ手段によって検知された一定時間内のタッチ操作の回数に応じてポインティングの起点と終点とを定めることを特徴とする請求項１〜３のいずれかに記載のタッチセンス装置。
【請求項５】
前記ポインティング処理手段は、前記Ｘ軸タッチ手段に対し前記表示部のＸ方向における情報をダイレクトに選択する機能を割り付け、前記Ｙ軸タッチ手段に対し前記表示部のＹ方向における情報をダイレクトに選択する機能を割り付けることを特徴とする請求項１〜３のいずれかに記載のタッチセンス装置。
【請求項６】
前記ポインティング処理手段は、前記Ｘ軸タッチ手段に対し前記表示部の画面をＸ方向にスライドさせる機能を割り付け、前記Ｙ軸タッチ手段に対し前記表示部の画面をＹ方向にスライドさせる機能を割り付けることを特徴とする請求項１〜３のいずれかに記載のタッチセンス装置。
【請求項７】
表示部におけるポインティングのタッチ入力を受け付けるタッチセンス方法であって、
Ｌ字型の一方のＸ軸タッチ手段によって前記表示部のＸ方向のポインティングのタッチ操作を検知するステップと、
Ｌ字型の他方のＹ軸タッチ手段によって前記表示部のＹ方向のポインティングのタッチ操作を検知するステップと、
前記検知されたタッチ操作に応じて前記表示部におけるポインティング処理を行うステップとを有する
ことを特徴とするタッチセンス方法。
【請求項８】
前記Ｘ軸タッチ手段又は前記Ｙ軸タッチ手段によって検知された一定時間内のタッチ操作の回数に応じてポインティングの起点と終点とを定めるステップを有することを特徴とする請求項７に記載のタッチセンス方法。
【請求項９】
前記Ｘ軸タッチ手段に対し前記表示部のＸ方向における情報をダイレクトに選択する機能を割り付け、前記Ｙ軸タッチ手段に対し前記表示部のＹ方向における情報をダイレクトに選択する機能を割り付けるステップを有することを特徴とする請求項７に記載のタッチセンス方法。
【請求項１０】
前記Ｘ軸タッチ手段に対し前記表示部の画面をＸ方向にスライドさせる機能を割り付け、前記Ｙ軸タッチ手段に対し前記表示部の画面をＹ方向にスライドさせる機能を割り付けるステップを有することを特徴とする請求項７に記載のタッチセンス方法。
【発明の詳細な説明】
【技術分野】
【０００１】
本発明は、タッチセンス方式によるキーをＬ字型に配置したタッチセンス装置及びタッチセンス方法に関する。
【背景技術】
【０００２】
たとえば、ノートパソコンやディスクトップパソコンにおいては、ＣＵＩ（Ｃｈａｒａｃｔｅｒ  Ｕｓｅｒ  Ｉｎｔｅｒｆａｃｅ）としての文字入力装置と、ＧＵＩ（Ｇｒａｐｈｉｃａｌ  Ｕｓｅｒ  Ｉｎｔｅｒｆａｃｅ）としてのポインタ移動装置との二つの入力装置が必要である。文字入力装置としてはキーボードが用いられ、ポインタ移動装置としてはマウスが用いられることが多い。
【０００３】
これらの装置は、独立して存在するため、設置スペースが二つの装置分必要となってくるばかりか、マウスの場合は多くの作業スペースを必要とする。そこで、マウスに代わるものとして、トラックボール、グラインドポイント、タッチパネル等がある。
【０００４】
これらのマウスに代わるポインタ移動装置を用いることで、マウスを用いる場合のような多くの作業スペースが不要となるばかりか、文字入力装置とポインタ移動装置との間の手の移動量も少なくなることにより作業スピードの向上が計れるようになった。ところが、これらの文字入力装置とポインタ移動装置とは、やはり配置スペースが二つ分必要であり、かつ手を二つの装置間で動かす必要がある。
【０００５】
このような不具合を解消するものとして、特許文献１では、キー配列又は画面情報を表示する表示部と、画面上のどの部分に触れたかを調べるタッチセンス部と、表示部にキー配列を表示し該当する場所を押すことにより文字入力を行える文字入力処理手段と、画面情報を表示し該当する場所を押すことによりポインタを移動するためのポインタ移動処理手段と、上記二つの機能を切り替えて使用するための機能切替手段とを備え、タッチセンス部の二点以上を同時にタッチすることにより機能切替を行い、同一装置上で上記二つの処理手段が使用できるようにした入力装置を提案している。
【特許文献１】特開平１０−２２８３５０号公報
【発明の開示】
【発明が解決しようとする課題】
【０００６】
ところで、上述した特許文献１では、同一装置上で文字入力処理とポインタ移動処理とを行うことができるが、文字入力とポインタ移動とを行う場合、その都度、機能切替を行う必要があり、操作が煩雑であるという問題があった。そのほか、キー配列又は画面情報を表示する表示部と、画面上のどの部分に触れたかを調べるタッチセンス部は重なっているため、表示部を覆うタッチセンス部への汚れの付着による表示部の悪化や、タッチセンス部への操作による過重で表示部の故障が発生するという問題もあった。
【０００７】
本発明は、このような状況に鑑みてなされたものであり、上記問題点を解決することができるタッチセンス装置及びタッチセンス方法を提供することを目的とする。
【課題を解決するための手段】
【０００８】
本発明のタッチセンス装置は、表示部におけるポインティングのタッチ入力を受け付けるタッチセンス装置であって、前記表示部のＸ方向のポインティングのタッチ操作を検知するＸ軸タッチ手段と、前記表示部のＹ方向のポインティングのタッチ操作を検知するＹ軸タッチ手段と、前記Ｘ軸タッチ手段又は前記Ｙ軸タッチ手段によって検知されたタッチ操作に応じて前記表示部におけるポインティング処理を行うポインティング処理手段とを備え、前記Ｘ軸タッチ手段とＹ軸タッチ手段とがＬ字型に配置されていることを特徴とする。
また、前記Ｘ軸タッチ手段とＹ軸タッチ手段とは、前記表示部の周囲に配置されているようにすることができる。
また、前記Ｘ軸タッチ手段とＹ軸タッチ手段とは、前記表示部の周囲以外に配置されているようにすることができる。
また、前記ポインティング処理手段は、前記Ｘ軸タッチ手段又は前記Ｙ軸タッチ手段によって検知された一定時間内のタッチ操作の回数に応じてポインティングの起点と終点とを定めるようにすることができる。
また、前記ポインティング処理手段は、前記Ｘ軸タッチ手段に対し前記表示部のＸ方向における情報をダイレクトに選択する機能を割り付け、前記Ｙ軸タッチ手段に対し前記表示部のＹ方向における情報をダイレクトに選択する機能を割り付けるようにすることができる。
また、前記ポインティング処理手段は、前記Ｘ軸タッチ手段に対し前記表示部の画面をＸ方向にスライドさせる機能を割り付け、前記Ｙ軸タッチ手段に対し前記表示部の画面をＹ方向にスライドさせる機能を割り付けるようにすることができる。
本発明のタッチセンス方法は、表示部におけるポインティングのタッチ入力を受け付けるタッチセンス方法であって、Ｌ字型の一方のＸ軸タッチ手段によって前記表示部のＸ方向のポインティングのタッチ操作を検知するステップと、Ｌ字型の他方のＹ軸タッチ手段によって前記表示部のＹ方向のポインティングのタッチ操作を検知するステップと、前記検知されたタッチ操作に応じて前記表示部におけるポインティング処理を行うステップとを有することを特徴とする。
また、前記Ｘ軸タッチ手段又は前記Ｙ軸タッチ手段によって検知された一定時間内のタッチ操作の回数に応じてポインティングの起点と終点とを定めるステップを有するようにすることができる。
また、前記Ｘ軸タッチ手段に対し前記表示部のＸ方向における情報をダイレクトに選択する機能を割り付け、前記Ｙ軸タッチ手段に対し前記表示部のＹ方向における情報をダイレクトに選択する機能を割り付けるステップを有するようにすることができる。
また、前記Ｘ軸タッチ手段に対し前記表示部の画面をＸ方向にスライドさせる機能を割り付け、前記Ｙ軸タッチ手段に対し前記表示部の画面をＹ方向にスライドさせる機能を割り付けるステップを有するようにすることができる。
本発明のタッチセンス装置及びタッチセンス方法では、Ｌ字型の一方のＸ軸タッチ手段によって表示部のＸ方向のポインティングのタッチ操作を検知し、Ｌ字型の他方のＹ軸タッチ手段によって表示部のＹ方向のポインティングのタッチ操作を検知し、その検知されたタッチ操作に応じて表示部におけるポインティング処理が行われる。
【発明の効果】
【０００９】
本発明のタッチセンス装置及びタッチセンス方法によれば、Ｌ字型の一方のＸ軸タッチ手段によって表示部のＸ方向のポインティングのタッチ操作を検知し、Ｌ字型の他方のＹ軸タッチ手段によって表示部のＹ方向のポインティングのタッチ操作を検知し、その検知されたタッチ操作に応じて表示部におけるポインティング処理が行われるようにしたので、簡単な構成で、ポインティングにおける操作性を高めることができる。また、Ｘ軸タッチ手段及びＹ軸タッチ手段を、表示部に重ならないように配置することができ、表示部の画面へのタッチを行うことがないことから、汚れの付着による表示部の悪化や、操作による過重で表示部の故障が発生するという問題を解消することもできる。
【発明を実施するための最良の形態】
【００１０】
本実施形態では、Ｘ軸タッチ手段とＹ軸タッチ手段とをＬ字型に配置し、Ｘ軸タッチ手段によって表示部のＸ方向のポインティングのタッチ操作を検知し、Ｙ軸タッチ手段によって表示部のＹ方向のポインティングのタッチ操作を検知し、ポインティング処理手段によりその検知されたタッチ操作に応じて表示部におけるポインティング処理が行われるようにし、簡単な構成で、ポインティングにおける操作性を高めるようにした。また、Ｘ軸タッチ手段及びＹ軸タッチ手段を、表示部に重ならないように配置することで、表示部の画面へのタッチを行うことがないようにし、汚れの付着による表示部の悪化や、操作による過重で表示部の故障が発生するという問題を解消するようにした。
【実施例】
【００１１】
以下、本発明の実施例の詳細について説明する。
図１は、本発明のタッチセンス装置の一実施例の概要を説明するための図である。
【００１２】
同図に示すように、タッチセンス装置は、機器１０のたとえば表示部１１の周囲にＬ字型に配置されたＸ軸タッチ手段としてのＸ軸タッチキー１２及びＹ軸タッチ手段としてのＹ軸タッチキー１３を有している。Ｘ軸タッチキー１２の座標としては、たとえば図中左側から順にＸ１，Ｘ２，Ｘ３，・・・Ｘｎとなっている。Ｙ軸タッチキー１３の座標としては、たとえば図中下側から順にＹ１，Ｙ２，Ｙ３，・・・Ｙｎとなっている。なお、Ｘ軸タッチキー１２及びＹ軸タッチキー１３の座標の順番においては、それぞれ逆になっていてもよい。
【００１３】
図２は、たとえばＸ軸タッチキー１２を示すものであり、Ｘ１，Ｘ２，Ｘ３，・・・Ｘｎの座標に対応させて指等による接触を検知するタッチセンサ１２ａが設けられている。同様に、Ｙ軸タッチキー１３側にもＹ１，Ｙ２，Ｙ３，・・・Ｙｎの座標に対応させて指等による接触を検知するタッチセンサ１２ａが設けられている。
【００１４】
図３は、タッチセンス装置の制御系を示すものであり、Ｘ軸キーセンス部１４、Ｙ軸キーセンス部１５、キーセンス判定部１６、キーセンス処理部１７、表示ドライバ１８によって構成されている。Ｘ軸キーセンス部１４は、Ｘ軸タッチキー１２の指等による接触位置である座標を検知する。Ｙ軸キーセンス部１５は、Ｙ軸タッチキー１３の指等による接触位置である座標を検知する。
【００１５】
キーセンス判定部１６は、  Ｘ軸キーセンス部１４とＹ軸キーセンス部１５とによって検知されたＸ，Ｙの座標を判定する。また、キーセンス判定部１６は、  Ｘ，Ｙの座標を判定する際、図示しないタップ数カウンターやノイズチェックタイマを用いるようになっている。ポインティング処理手段としてのキーセンス処理部１７は、キーセンス判定部１６によって判定されたＸ，Ｙの座標に基づき、表示部１１に表示されるポインティング位置や選択範囲等を制御するための表示制御信号を出力する。
【００１６】
また、キーセンス処理部１７は、後述の図１１及び図１２のように、Ｘ軸タッチキー１２又はＹ軸タッチキー１３によって検知された一定時間内のタッチ操作の回数に応じてポインティングの起点と終点とを定めることもできる。また、キーセンス処理部１７は、後述の図１３及び図１４のように、Ｘ軸タッチキー１２に対し表示部１１のＸ方向における情報をダイレクトに選択する機能を割り付け、Ｙ軸タッチキー１３に対し表示部１１のＹ方向における情報をダイレクトに選択する機能を割り付けることもできる。
【００１７】
また、キーセンス処理部１７は、後述の図１５のように、Ｘ軸タッチキー１２に対し表示部１１の画面をＸ方向にスライドさせる機能を割り付け、Ｙ軸タッチキー１３に対し表示部１１の画面をＹ方向にスライドさせる機能を割り付けることもできる。表示ドライバ１８は、キーセンス処理部１７からの表示制御信号に基づき、表示部１１にポインティング位置や選択範囲等を表示させる。
【００１８】
図４は、上述したＸ軸タッチキー１２及びＹ軸タッチキー１３をゲーム機やＰＤＡ等のモバイル機器１０Ａに設けた場合の例を示すものであり、表示部１１ａの周囲にＸ軸タッチキー１２及びＹ軸タッチキー１３がＬ字型に配置されている。なお、Ｙ軸タッチキー１３は、表示部１１ａの右側に配置されているが、表示部１１ａの左側に配置されていてもよい。この場合、左利きのユーザにとっての操作性が良くなる。また、Ｘ軸タッチキー１２は、表示部１１ａの下側に配置されているが、表示部１１ａの上側に配置されていてもよい。また、図中符号１９ａは、その他のキーを示している。
【００１９】
図５は、上述したＸ軸タッチキー１２及びＹ軸タッチキー１３をテレビやＰＣ等の機器１０Ｂに設けた場合の例を示すものであり、表示部１１ｂの周囲にＸ軸タッチキー１２及びＹ軸タッチキー１３がＬ字型に配置されている。なお、Ｙ軸タッチキー１３は、上記同様に、表示部１１ｂの左側に配置されていてもよい。また、Ｘ軸タッチキー１２は、上記同様に、表示部１１ａの上側に配置されていてもよい。また、図中符号１９ｂは、その他のキーを示している。
【００２０】
図６は、携帯電話１０Ｃに設けた場合の例を示すものであり、表示部１１ｃの周囲にＸ軸タッチキー１２及びＹ軸タッチキー１３がＬ字型に配置されている。なお、Ｘ軸タッチキー１２及びＹ軸タッチキー１３は、上記同様に、表示部１１ｃの上側及び表示部１１ｃの左側に配置されていてもよい。また、図中符号１９ｃは、テンキーを示している。
【００２１】
図７は、携帯電話１０Ｃに設けた場合の他の例を示すものであり、テンキー１９ｃの周囲にＸ軸タッチキー１２及びＹ軸タッチキー１３がＬ字型に配置されている。
【００２２】
次に、タッチセンス方法について説明する。なお、以下に説明するタップとは、Ｘ軸タッチキー１２及びＹ軸タッチキー１３への指等による押し離しのことである。まず、図８に示すように、タップ数カウンターを０とし、センサＯＦＦ確定を通知した後、上述したＸ軸タッチキー１２又はＹ軸タッチキー１３のタッチセンサ１２ａがＯＮであるか否かが判断される（ステップＳ１〜Ｓ３）。ここで、タッチセンサ１２ａがＯＮでなければ後述のタップチェック終了か否かの判断（ステップＳ１４）に移行する。
【００２３】
タッチセンサ１２ａがＯＮである場合は、ノイズ等による誤検出を防止するために、ノイズチェックタイマが設定（＝Ｔｎ）され（ステップＳ４）、その後、（ステップＳ５）において、タッチセンサ１２ａがＯＮでなければ後述のタップチェック終了か否かの判断（ステップＳ１４）に移行する。これに対し、タッチセンサ１２ａがＯＮで、ノイズチェックタイマが０となると、タッチセンサ１２ａのＯＮが確定されタップ数カウンターが＋１とされる（ステップＳ５〜Ｓ７）。
【００２４】
すなわち、図９（ａ）に示すように、タッチセンサ１２ａのＯＮ時間≧ノイズチェックタイマ設定（＝Ｔｎ）である場合にタッチセンサ１２ａのＯＮが正常であると判定されることになる。これに対し、図９（ｂ）に示すように、タッチセンサ１２ａのＯＮ時間＜ノイズチェックタイマ設定（＝Ｔｎ）である場合は、正常にタッチセンサ１２ａがＯＮしないことであり、ノイズと判定されることになる。
【００２５】
次いで、タップ数カウンターが＋１とされ、センサＯＮ確定が通知された後、タッチセンサ１２ａがＯＮでなければ（ステップＳ８，Ｓ９）、ノイズチェックタイマが設定（＝Ｔｎ）され（ステップＳ１０）、その後、タッチセンサ１２ａがＯＦＦで（ステップＳ１１）、ノイズチェックタイマが０となると（ステップＳ１２）、タッチセンサ１２ａのＯＦＦが確定される。
【００２６】
すなわち、図９（ｃ）に示すように、タッチセンサ１２ａのＯＦＦ時間≧ノイズチェックタイマ設定（＝Ｔｎ）である場合は、正常にタッチセンサ１２ａがＯＦＦしたと判定されることになる。これに対し、図９（ｄ）に示すように、タッチセンサ１２ａのＯＦＦ時間＜ノイズチェックタイマ設定（＝Ｔｎ）である場合は、正常にタッチセンサ１２ａがＯＦＦしないことであり、ノイズと判定されることになる。
【００２７】
次いで、Ｘ軸タッチキー１２及びＹ軸タッチキー１３への指等による押し離しであるタップが連続して行われることを判定するために、複数タップチェックタイマがＴｔとされる（ステップＳ１３）。すなわち、図９（ｅ）に示すように、タッチセンサ１２ａのＯＦＦ時間≧ノイズチェックタイマ設定（＝Ｔｔ）である場合は、連続タップの判定終了となり、タップ数が確定されることになる。
【００２８】
これに対し、図９（ｆ）に示すように、ノイズチェックタイマ設定（＝Ｔｔ）＞タッチセンサ１２ａのＯＦＦ時間≧ノイズチェックタイマ設定（＝Ｔｎ）である場合は、連続タップの起動となり、新しいタップのチェック開始となる。ただし、ノイズチェックタイマ設定（＝Ｔｎ）＞タッチセンサ１２ａのＯＦＦ時間の場合は、ノイズとして判定されることになる。
【００２９】
次に、Ｔｔ＝０のときにタップチェック終了か否かが判断され（ステップＳ１４）、タップチェックが終了でなければ（ステップＳ２）に移行し、タッチセンサ１２ａのＯＮの再チェックが行われる。タップチェックが終了である場合は、検出したタップ数を通知する（ステップＳ１５）。
【００３０】
次に、タッチセンス方法における具体例について説明する。まず、図１０は、二次元のポインティングを行う場合を説明するため図であり、図１０（ａ）に示すように、Ｙ軸タッチキー１３の”か”〜”こ”の文字に対応する個所を一回押し離しすると、その縦軸座標の位置が決定されて、たとえば”ね”の文字に位置しているカーソルが”け”の文字に移動する。ここで、図１０（ｂ）に示すように、Ｘ軸タッチキー１２の”あ”〜”な”の文字に対応する個所を一回押し離しすると、その横軸座標の位置が決定されて、”け”の文字に位置しているカーソルが”か”の文字に移動する。
【００３１】
ここで、決定キー１９ｄが設けられている場合は、その決定キー１９ｄを押すことで、図１０（ｃ）に示すように、”か”の文字が決定され、文字入力欄１１ｄに表示される。なお、決定キー１９ｄが設けられていない場合は、たとえば”あ”〜”な”の文字に対応するＸ軸タッチキー１２又は”か”〜“こ”の文字に対応するＹ軸タッチキー１３を一定時間内に二回押すことで、”か”の文字が決定されるようにすることができる。
【００３２】
次に、図１１は、選択範囲を指定する場合を説明するための図であり、図１１（ａ）に示すように、たとえば”か”の文字を起点として設定するために、”あ”〜”は”の文字に対応するＸ軸タッチキー１２を一定時間内に三回押し離しを行う。次いで、図１１（ｂ）に示すように、たとえば”け”の文字を終点として設定するために、”え”〜”へ”の文字に対応するＸ軸タッチキー１２を一回押し離しする。これにより、”か”〜”け”の範囲の文字が選択され、決定キー１９ｄを押すことで、”か”〜”け”の範囲の文字が決定される。なお、”え”〜”へ”の文字に対応するＸ軸タッチキー１２を二回押し離しすることで、上記同様に、”か”〜”け”の文字が決定されるようにすることもできる。
【００３３】
さらに、図１１（ｃ）に示すように、図１１（ｂ）で”か”〜”く”の文字が選択された状態で、”さ”〜”そ”の文字に対応するＹ軸タッチキー１３を一回押し離し、さらに決定キー１９ｄを押すと、”か”〜”け”、”さ”〜”せ”の範囲の文字が決定されるようにすることができる。なお、決定キー１９ｄを押さずに、”さ”〜”そ”に対応するＹ軸タッチキー１３を二回押し離しすることで、上記同様に、”か”〜”け”、”さ”〜”せ”の範囲の文字が決定されるようにすることもできる。
【００３４】
また、図１２（ａ）に示すように、曲目等が複数行で表示されている場合、たとえば一行目に対応するＹ軸タッチキー１３を三回押し離して起点を設定し、図１２（ｂ）に示すように、四行目に対応するＹ軸タッチキー１３を一回押し離して終点を設定することで、四行分の範囲を選択するようにすることもできる。この場合、上記同様に、決定キー１９ｄを押すか、あるいは四行目に対応するＹ軸タッチキー１３を二回押し離しすることで、四行分の範囲を決定することもできる。
【００３５】
また、図１３に示すように、表示部１１にオーディオプレーヤの早戻し、再生、早送り等の操作ボタン１９ｅが表示されているものとし、曲目を選択して再生等を行う場合は、図１３（ａ）に示すように、たとえば三行目の曲目を選択するとき、その三行目に対応するＹ軸タッチキー１３を一回押し離しを行い、さらに図１３（ｂ）に示すように、再生の操作ボタン１９ｅに対応するＸ軸タッチキー１２を一回押し離しすることで、選択した曲目の再生指示を行うことができる。又は、三行目に対応するＹ軸タッチキー１３を二回押し離しを行うことにより再生を決定することもできる。
【００３６】
また、図１４に示すように、表示部１１に操作ボタン１９ｆと選択ボタン１９ｇとが表示されているようにしてもよい。ここで、操作ボタン１９ｆは、たとえばフォルダー選択やプレーモード等のメニュー処理に関わるものであり、ダイレクトキーではなく、カーソルを移動して上述した決定キー１９ｄを押して決定する場合を例示したものである。
【００３７】
そして、操作ボタン１９ｆのいずれかに対応するＸ軸タッチキー１２を押し離しすることで操作ボタン１９ｆのいずれかを選択でき、選択ボタン１９ｇのいずれかに対応するＹ軸タッチキー１３を押し離しすることで選択ボタン１９ｇのいずれかを選択できるようにすることができる。
【００３８】
図１５は、表示部１１の画面をスライドさせる場合を示すものであり、表示部１１に横スライドバー１９ｈと縦スライドバー１９ｉとが表示されているものとする。ここで、図１５（ａ）に示すように、移動させる横スライドバー１９ｈ又は縦スライドバー１９ｉを選択する。その際、選択するモードと選択しないモードとを用意しておき、選択する場合は横スライドバー１９ｈ又は縦スライドバー１９ｉによる操作とポインティングとが併用されるようにする。
【００３９】
そして、たとえば縦スライドバー１９ｉを決定する場合、Ｘ軸タッチキー１２を一回押し離しをするようにする。次いで、図１５（ｂ）に示すように、縦スライドバー１９ｉに対応するＹ軸タッチキー１３を押し、図１５（ｃ）に示すように、Ｙ軸タッチキー１３を押したまま指をＹ軸タッチキー１３に沿って移動させる。この場合、Ｙ軸タッチキー１３に沿って移動させた指により、Ｙ軸タッチキー１３の座標が変更され、それによって表示部１１の画面がスライドする。
【００４０】
このように、本実施例では、Ｘ軸タッチキー１２とＹ軸タッチキー１３とをＬ字型に配置し、Ｘ軸タッチキー１２によって表示部１１のＸ方向のポインティングのタッチ操作を検知し、Ｙ軸タッチキー１３によって表示部１１のＹ方向のポインティングのタッチ操作を検知し、ポインティング処理手段としてのキーセンス処理部１７によりその検知されたタッチ操作に応じて表示部１１におけるポインティング処理が行われるようにしたので、簡単な構成で、ポインティングにおける操作性を高めることができる。
【００４１】
すなわち、Ｘ軸タッチキー１２とＹ軸タッチキー１３とをたとえば表示部１１の周囲にＬ字型に配置することで、二次元でのポインティング操作を表示部１１の内容を確認しながら行うことができるばかりか、十字キー等の操作ボタンを省くことができ、さらには省スペース化等を図ることができる。
【００４２】
また、本実施例では、Ｘ軸タッチキー１２及びＹ軸タッチキー１３を、表示部１１に重ならないように配置することができ、表示部１１の画面へのタッチを行うことがないことから、汚れの付着による表示部１１の悪化や、操作による過重で表示部１１の故障が発生するという問題を解消することもできる。
【００４３】
なお、Ｘ軸タッチキー１２とＹ軸タッチキー１３とを、図７に示したように、表示部１１の周囲以外に配置した場合には、表示部１１の周囲以外の空きスペースの有効利用を図ることができる。
【００４４】
また、キーセンス処理部１７により、たとえば図１１に示したように、Ｘ軸タッチキー１２又はＹ軸タッチキー１３によって検知された一定時間内のタッチ操作の回数に応じてポインティングの起点と終点とを定めることができ、たとえば範囲選択のための操作ボタンを省くことができ、さらには省スペース化等を図ることができる。
【００４５】
また、キーセンス処理部１７により、Ｘ軸タッチキー１２に対し表示部１１のＸ方向における情報をダイレクトに選択する機能を割り付け、Ｙ軸タッチキー１３に対し表示部１１のＹ方向における情報をダイレクトに選択する機能を割り付けるようにしたので、たとえば図１３に示したように、曲目の選択と再生等とを専用のボタンを設けることなく指示することができる。
【００４６】
また、キーセンス処理部１７により、たとえば図１５に示したように、Ｘ軸タッチキー１２に対し表示部１１の画面をＸ方向にスライドさせる機能を割り付け、Ｙ軸タッチキー１３に対し表示部１１の画面をＹ方向にスライドさせる機能を割り付けるようにしたので、専用のスライドキーを用いることなく画面のスライドを容易に行わせることができる。
【産業上の利用可能性】
【００４７】
情報入力や情報選択を行うあらゆる装置に適用可能である。
【図面の簡単な説明】
【００４８】
【図１】本発明のタッチセンス装置の一実施例の概要を説明するための図である。
【図２】図１のタッチキーを説明するための図である。
【図３】図１のタッチセンス装置の制御系を示すブロック図である。
【図４】図１のタッチキーをモバイル機器に設けた場合の例を示す図である。
【図５】図１のタッチキーをテレビやＰＣ等の機器に設けた場合の例を示す図である。
【図６】図１のタッチキーを携帯電話に設けた場合の例を示す図である。
【図７】図１のタッチキーを携帯電話に設けた場合の他の例を示す図である。
【図８】図１のタッチセンス装置によるタッチセンス方法を説明するためのフローチャートである。
【図９】図１のタッチセンス装置によるタッチセンス方法を説明するための図である。
【図１０】図１のタッチセンス装置によるタッチセンス方法の具体例について説明するための図である。
【図１１】図１のタッチセンス装置によるタッチセンス方法の具体例について説明するための図である。
【図１２】図１のタッチセンス装置によるタッチセンス方法の具体例について説明するための図である。
【図１３】図１のタッチセンス装置によるタッチセンス方法の具体例について説明するための図である。
【図１４】図１のタッチセンス装置によるタッチセンス方法の具体例について説明するための図である。
【図１５】図１のタッチセンス装置によるタッチセンス方法の具体例について説明するための図である。
【符号の説明】
【００４９】
１０，１０Ｂ  機器
１０Ａ  モバイル機器
１０Ｃ  携帯電話
１１，１１ａ〜１１ｃ  表示部
１２  Ｘ軸タッチキー（Ｘ軸タッチ手段）
１２ａ  タッチセンサ
１３  Ｙ軸タッチキー（Ｙ軸タッチ手段）
１４  Ｘ軸キーセンス部
１５  Ｙ軸キーセンス部
１６  キーセンス判定部
１７  キーセンス処理部（ポインティング処理手段）
１８  表示ドライバ
【図１】
2007140944.tif 000003
【図２】
2007140944.tif 000004
【図３】
2007140944.tif 000005
【図４】
2007140944.tif 000006
【図５】
2007140944.tif 000007
【図６】
2007140944.tif 000008
【図７】
2007140944.tif 000009
【図８】
2007140944.tif 000010
【図９】
2007140944.tif 000011
【図１０】
2007140944.tif 000012
【図１１】
2007140944.tif 000013
【図１２】
2007140944.tif 000014
【図１３】
2007140944.tif 000015
【図１４】
2007140944.tif 000016
【図１５】
2007140944.tif 000017